(57)【要約】【課題】装飾シートの周縁端末をトリム本体の木目込み溝内に圧入する装飾シートの端末処理構造及び端末処理方法において、シワ発生を防止して、外観見栄えを高める。【解決手段】ドアトリム本体２０には、装飾シート３０の周縁形状に沿う木目込み溝２１が形成され、この木目込み溝２１は、直線状の一般部木目込み溝２１Ａとこれに繋がる曲線状のコーナー部木目込み溝２１Ｂとを備えており、コーナー部木目込み溝２１Ｂの溝深さｄ２を一般部木目込み溝２１Ａの溝深さｄ１よりも深く設定することで、コーナー部に集中するダブリやシワを解消するための引き伸ばし部位を溝深部分で収容し、シワ発生を防止する。また、木目込みバー７１を木目込み溝２１の溝センターＰよりも内側に設定することで木目込み溝２１Ａ，２１Ｂの内側壁面２４に装飾シート３０の周縁端末３１を擦り付け、シワ発生を抑えながら装飾シート３０を圧入処理する。【選択図】図７
2014094579.tif 000002
【特許請求の範囲】
【請求項１】
所要形状に成形されたトリム本体（２０）の表面所定位置に装飾シート（３０）を装着するとともに、装飾シート（３０）の周縁形状に沿ってトリム本体（２０）に形成された木目込み溝（２１）内に装飾シート（３０）の周縁端末を圧入処理してなる装飾シート（３０）の端末処理方法において、
前記木目込み溝（２１）は、直線状の一般部木目込み溝（２１Ａ）と、これに繋がる曲線状のコーナー部木目込み溝（２１Ｂ）とを備え、かつ、そのコーナー部木目込み溝（２１Ｂ）の溝深さ（ｄ２）が前記一般部木目込み溝（２１Ａ）の溝深さ（ｄ１）に対して深く設定されており、それぞれの木目込み溝（２１Ａ，２１Ｂ）に対して圧入される木目込みバー（７１）を木目込み溝（２１Ａ，２１Ｂ）の溝センター（Ｐ）よりも内側にずらして設定することで、装飾シート（３０）を木目込み溝（２１Ａ，２１Ｂ）内の内側壁面（２４）に沿って擦りながら木目込み処理を行なうこと
を特徴とする装飾シートの端末処理方法。
【請求項２】
前記木見込みバー（７１）は、前記一般部木目込み溝（２１Ａ）と前記コーナー部木目込み溝（２１Ｂ）内に圧入される一般部位（７１ａ）とコーナー部位（７１ｂ）を一体化して、コーナー部のＲ止まりを端末部位（７１ｃ）とした一枚のプレートで構成されていること
を特徴とする請求項１に記載の装飾シートの端末処理方法。
【請求項３】
所要形状に成形されたトリム本体（２０）と、このトリム本体（２０）の表面所定位置に装着してなる装飾シート（３０）とを備えた自動車用ドアトリム（１０）の製造方法において、請求項１又は請求項２に記載の装飾シートの端末処理方法を適用したこと
を特徴とする自動車用ドアトリムの製造方法。
【発明の詳細な説明】
【技術分野】
【０００１】
この発明は、ドアトリム、リヤサイドトリム等に好適な自動車用内装部品に係り、特に、トリム本体表面の一部に装着される装飾シートの端末処理を体裁良く仕上げることができる装飾シートの端末処理方法に関する。
【背景技術】
【０００２】
図１３は、車両のドアパネルの室内面側に装着されるドアトリム１を示す正面図であり、ドアトリム１は、適度の保形性とドアパネルへの取付剛性を備えたドアトリム本体２の表面の一部（中接部分）にクロス等の装飾シート３を装着して構成されている。そして、この装飾シート３により外観性能を高めるとともに、良好な手触り感が期待できる。
【０００３】
更に、図１４に示すように、装飾シート３の周縁形状に沿ってドアトリム本体２に設けられた木目込み溝４内に装飾シート３の周縁端末３ａが圧入処理されている。上記木目込み溝４は、ほぼ直線状の一般部木目込み溝４Ａと、それに繋がる曲線状のコーナー部木目込み溝４Ｂとを備えているが、このコーナー部木目込み溝４ＢのＲ（曲率）は２０程度のようにＲ（曲率）が制限されている。
【０００４】
次に、装飾シート３の端末処理方法としては、図１５に示すように、ドアトリム本体２を圧着上型５にセットするとともに、装飾シート３を圧着下型６にセットし、圧着上下型５，６を型締めすることにより、ドアトリム本体２の表面に装飾シート３を圧着加工できる。その後、圧着下型６の外周に配設されている木目込みバー７を上下動作することで、ドアトリム本体２の木目込み溝４内に装飾シート３の周縁端末３ａを圧入処理している。従来では、木目込み溝４の溝底幅が２．０ｍｍに対して装飾シート３の最大厚みが３．０ｍｍで、木目込みバー７の厚みが１．０ｍｍに設定されているとともに、木目込みバー７は、木目込み溝４の溝センターか、もしくは外側に設定されており、この木目込みバー７の２〜４回のポンピング動作により装飾シート３の周縁端末３ａを段階的に木目込み溝４の溝底まで押し込んでいるのが実情である。
【０００５】
更に、木目込みバー７については、図１６に示すように、一般部木目込み溝４Ａ及びコーナー部木目込み溝４Ｂに対してそれぞれ一般部木目込みバー７Ａ、コーナー部木目込みバー７Ｂのように、それぞれ分割構成していた。装飾シート３の端末処理方法の従来例としては、特許文献１に詳細に示されている。
【先行技術文献】
【特許文献】
【０００６】
【特許文献１】特開２００２−２４０１５５号公報
【発明の概要】
【発明が解決しようとする課題】
【０００７】
このように、従来では、木目込みバー７は、ドアトリム本体２の木目込み溝４の溝センターより外側に設定されており、木目込みバー７の複数回のポンピング動作で装飾シート３の周縁端末３ａを圧入処理しているが、装飾シート３にダブリが発生することで、シワが発生し易く、外観見栄えを低下させるという欠点が指摘されている。特に、木目込みバー７を外側に調整すると、一般部木目込みバー７Ａとコーナー部木目込みバー７Ｂとの間にスキが生じて装飾シート３に凸部が形成されてしまうという欠点も指摘されている。
【０００８】
この発明は、このような事情に鑑みてなされたもので、ドアトリム、リヤサイドトリム等のような自動車用内装部品であって、トリム本体の表面所定位置に装飾シートを装着して構成されているとともに、装飾シートの周縁端末をトリム本体に設けた木目込み溝内に圧入処理してなる装飾シートの端末処理構造及び端末処理方法並びにそれに使用する圧着装置に係り、装飾シートの周縁端末においてシワ発生がなく、美麗に仕上げることが可能になるとともに、コーナー部の造形自由度及び木目込みバーの耐久性を高めることができることを目的としている。
【課題を解決するための手段】
【０００９】
上記目的を達成するために本発明者は、鋭意研究の結果、一般部木目込み溝とコーナー部木目込み溝について、溝深さに変化をもたせることで、コーナー部でのシワ発生を回避できることに加えて、木目込みバーを木目込み溝の溝センターよりも内側に設定することで、木目込み時におけるシワ発生を確実に防止できることに着目し、本発明を完成するに至った。
【００１０】
すなわち、本発明は、所要形状に成形されたトリム本体の表面所定位置に装飾シートを装着するとともに、装飾シートの周縁形状に沿ってトリム本体に形成された木目込み溝内に装飾シートの周縁端末を圧入処理してなる装飾シートの端末処理方法において、前記木目込み溝は、直線状の一般部木目込み溝と、これに繋がる曲線状のコーナー部木目込み溝とを備え、かつ、そのコーナー部木目込み溝の溝深さが前記一般部木目込み溝の溝深さに対して深く設定されており、それぞれの木目込み溝に対して圧入される木目込みバーを木目込み溝の溝センターよりも内側にずらして設定することで、装飾シートを木目込み溝内の内側壁面に沿って擦りながら木目込み処理を行なうことを特徴とする。
【００１１】
ここで、装飾シートの端末処理方法の用途としては、自動車用ドアトリム、リヤサイドトリム等の自動車用内装部品が挙げられる。すなわち、所要形状に成形されたトリム本体の表面所定位置に装飾シートを圧着加工してなるとともに、装飾シートの周縁端末が装飾シートの周縁形状に沿ってトリム本体に形成された木目込み溝内に圧入されるという積層構造に適用できる。更に、木目込み溝のパターン形状は、ほぼ直線状の一般部木目込み溝と、それに繋がる曲線状のコーナー部木目込み溝とを備えるものであれば、木目込み溝の平面視形状がループ状のものに限定されない。例えば、装飾シートの一部がトリム本体の周縁と一致した場合は装飾シートの一部分の周縁端末が木目込み溝に圧入されるタイプでも良い。
【００１２】
そして、一般部木目込み溝の溝深さに対してコーナー部木目込み溝の溝深さを深く設定した場合には、木目込みバーにより装飾シートの周縁端末を圧入処理する際、コーナー部にダブリが生じてもダブリ部分を引き伸ばし、引き伸ばされた端末部分をコーナー部木目込み溝の溝深部分で確実に収容できるため、ダブリによるシワ発生を有効に回避できる。更に、ダブリを解消できるため、従来２０程度に設定していたコーナー部のＲ（曲率）を５以下のように小さく設定することができ、造形自由度を高めることができる。
【００１３】
ここで、本発明で使用する木目込みバーは、木目込み溝の溝センターよりも内側に設定されているため、トリム本体表面に装飾シートを圧着した後、装飾シートの周縁端末をトリム本体の木目込み溝内に圧入処理する際、装飾シートの周縁端末は、木目込みバーにより木目込み溝内の内側壁面に擦り付けられて圧入されるため、シワ発生を有効に回避することができる。尚、木目込みバーによる装飾シートの周縁端末の圧入工程は、木目込みバーの単一のポンピング動作でも良いが、木目込みバーを複数回ポンピング動作させるのが好ましい。
【００１４】
更に、コーナー部木目込み溝の溝深さが一般部木目込み溝の溝深さに対して深く設定されていれば、木目込み溝のコーナー部分において、装飾シートの周縁端末にダブリが発生しても、ダブリ部分を引き伸ばし、木目込み溝のコーナー部における溝深部分で引き伸ばした端末部分を有効に収容できるため、コーナー部にシワが発生することがない。
【００１５】
次に、本発明で使用する圧着装置は、トリム本体の表面に装飾シートを圧着加工する圧着装置であって、装飾シートの周縁端末をトリム本体の木目込み溝内に圧入処理する木目込み機構を有する圧着装置において、前記木目込み機構は、シリンダ動作により上下駆動する木目込みバーを備えており、この木目込みバーは、一般部木目込み溝とコーナー部木目込み溝内に圧入される一般部位とコーナー部位を一体化して、コーナー部のＲ止まりを端末部位とした一枚物のプレートで構成した。
【００１６】
ここで、圧着装置は、トリム本体をセットする圧着上型と、装飾シートをセットする圧着下型と、圧着下型の外周に設けられ、装飾シートの周縁端末をトリム本体の木目込み溝内に木目込み処理する木目込み機構とから構成されている。そして、木目込み機構としては、装飾シートの周縁端末を木目込み処理する木目込みバーと、木目込みバーを上下駆動させるシリンダとから構成されている。
【００１７】
上記木目込みバーは、トリム本体に設けられている木目込み溝のパターン形状に沿って形成されており、直線状の一般部木目込み溝とそれに繋がる曲線状のコーナー部木目込み溝にそれぞれ対応する一般部位とコーナー部位とを一体化して、コーナー部のＲ止まりを端末部位とした一枚物のプレートで構成されているため、剛性が強化されており、長期使用によっても変形することがなく、また、木目込みバーを微調整しても一枚物であるため隙間が発生することがなく、装飾シートに凹凸不良が発生しない。
【発明の効果】
【００１８】
本発明では、コーナー部木目込み溝の溝深さを一般部木目込み溝の溝深さに対して深く設定することで、装飾シートの周縁端末を圧入処理する際に他の部位からコーナー部に集まってきたシワをコーナー部木目込み溝の溝深部分で収容できるため、および、木目込み溝の溝センターよりも木目込みバーの設定位置を内側にずらして設定し、木目込み溝内に装飾シートの周縁端末を木目込み処理する際、木目込みバーにより装飾シートの周縁端末を木目込み溝内の内側壁面に擦り付け、シワをとりながら木目込み処理を行なうため、シワが発生することがない。また、コーナー部分で装飾シートのダブリが発生しても、ダブリ部分を引き伸ばし、コーナー部分の溝深部分で引き伸ばした周縁端末を収容することができるため、シワが発生することがない。
【００１９】
従って、本発明によれば、装飾シートの周縁端末にシワが発生することがないため、装飾シートの周縁端末部分の外観見栄えを向上させることができるという効果を有する。
【図面の簡単な説明】
【００２０】
【図１】本発明を適用して製造した自動車用ドアトリムを示す正面図である。
【図２】図１中II−II線断面図である。
【図３】図１に示す自動車用ドアトリムにおける装飾シート及び木目込み溝を示す説明図である。
【図４】図３中IV−IV線断面図である。
【図５】図３中V −V 線断面図である。
【図６】本発明に係る装飾シートの端末処理方法に使用する圧着装置を示す概略構成図である。
【図７】図６に示す圧着装置における木目込み機構の構成を示す説明図である。
【図８】図６中Ａ矢視図であり、木目込みバーのパターン形状を示す説明図である。
【図９】図６に示す圧着装置を使用したドアトリム本体と装飾シートのセット工程を示す説明図である。
【図１０】図６に示す圧着装置を使用したドアトリム本体と装飾シートの圧着工程を示す説明図である。
【図１１】本発明に係る装飾シートの端末処理方法における一般部木目込み溝内での装飾シートの端末処理工程を示す説明図である。
【図１２】本発明に係る装飾シートの端末処理方法におけるコーナー部木目込み溝内での装飾シートの端末処理工程を示す説明図である。
【図１３】従来のドアトリムを示す正面図である。
【図１４】図１３中XIV −XIV 線断面図である。
【図１５】従来の木目込みバーによる端末処理工程を示す説明図である。
【図１６】従来の木目込みバーの工程を示す説明図である。
【発明を実施するための形態】
【００２１】
以下、本発明に係る装飾シートの端末処理方法並びにそれに使用する圧着装置の具体的な実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００２２】
図１は本発明を適用して製造した自動車用ドアトリムを示す正面図、図２は同自動車用ドアトリムの構成を示す断面図、図３乃至図５は装飾シートのパターン形状並びに端末処理構造を示す正面図並びに断面図、図６は本発明に係る装飾シートの端末処理方法に使用する圧着装置の概略構成を示す説明図、図７は同圧着装置における木目込み機構の構成を示す説明図、図８は同木目込み機構における木目込みバーのパターン形状を示す説明図、図９，図１０はドアトリム本体に装飾シートを圧着する各工程を示す説明図であり、図１１，図１２は本発明に係る装飾シートの端末処理方法を示す説明図である。
【００２３】
図１，図２において、自動車用ドアトリム１０は、所要形状に成形されたドアトリム本体２０と、このドアトリム本体２０の表面所定位置（中接部位）に装着してなる装飾シート３０とから大略構成されている。上記ドアトリム本体２０には、装飾シート３０の周縁端末３１を圧入処理するための木目込み溝２１が本実施例ではループ状に形成されており、この木目込み溝２１を形成する他に、ドアトリム本体２０のほぼ中央に乗員が肘を掛けて休めるアームレスト２２や、その下方には、備品を収容できるドアポケット２３が形成されている。
【００２４】
更に詳しくは、ドアトリム本体２０としては、汎用の合成樹脂を射出成形、あるいはモールドプレス成形することにより図示する所望形状に成形されている。汎用の合成樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等を使用することができる。また、装飾シート３０としては、本実施例では、クロス等のトップ層３０ａの裏面にポリウレタンフォーム、ポリプロピレンフォーム、ポリエチレンフォーム等のクッション層３０ｂを裏打ちした積層シート材料が使用されている。
【００２５】
次に、本発明に係る装飾シート３０の端末処理構造について以下に説明する。まず、装飾シート３０の周縁形状に沿ってドアトリム本体２０に木目込み溝２１が形成されているが、この木目込み溝２１は、図３に示すように、ほぼ直線状をなす一般部木目込み溝２１Ａと、これと繋がる曲線状のコーナー部木目込み溝２１Ｂとから構成されており、この実施例においては、木目込み溝２１については、四隅部にコーナー部木目込み溝２１Ｂが設定されている。従来、このコーナー部木目込み溝２１Ｂについては、シワ発生の関係でＲ（曲率）が大きく設定されているが、本実施例においては、Ｒ（曲率）が５のように小さく設定されており、Ｒ（曲率）を小さく設定してもシワ発生がなく、外観見栄えが良好に保たれている。更に、図４，図５に示すように、このドアトリム本体２０に形成される木目込み溝２１について、一般部木目込み溝２１Ａの溝深さｄ１に比べ、コーナー部木目込み溝２１Ｂの溝深さｄ２が深く設定されている。この実施例においては、一般部木目込み溝２１Ａの溝深さｄ１を７．０ｍｍ、コーナー部木目込み溝２１Ｂの溝深さｄ２を９．０ｍｍにそれぞれ設定されている。尚、溝深さｄ１，ｄ２については、コーナー部のＲ止まり前後の１０．０ｍｍ間で徐変させている。
【００２６】
従って、装飾シート３０の周縁端末３１をドアトリム本体２０の木目込み溝２１内に圧入処理する際、ダブリやシワが特にコーナー部木目込み溝２１Ｂにおいて集中するが、ダブリやシワを解消するため、端末を引き伸ばし、引き伸ばした端末を溝深部分に有効に収容することにより、コーナー部においてのシワ発生がなく、また、コーナー部木目込み溝２１ＢのＲ（曲率）を小さく設定することも可能となる。
【００２７】
次いで、装飾シート３０の端末処理方法について説明するが、その前に、装飾シート３０の端末処理方法に使用する圧着装置４０の構成について、図６乃至図８を基に説明する。圧着装置４０は、ドアトリム本体２０をセットする圧着上型５０と、装飾シート３０をセットする圧着下型６０と、圧着下型６０の外周に沿って設けられており、装飾シート３０の周縁端末３１をドアトリム本体２０の木目込み溝２１（２１Ａ，２１Ｂ）内に圧入処理する木目込み機構７０とから大略構成されている。
【００２８】
更に詳しくは、上記圧着装置４０において、圧着上型５０を支持する上側取付板５１と、圧着下型６０を支持する下側取付板６１とがガイドポスト５２，６２で連結されており、ガイドポスト５２，６２がそれぞれ上側取付板５１、下型取付板６１の四隅部に設定されて、圧着上型５０と圧着下型６０とが適正姿勢で型締め、型開きされる。
【００２９】
次いで、圧着下型６０の外周に設けられている木目込み機構７０は、木目込みバー７１と、木目込みバー７１を上下駆動させるシリンダ７２とから構成されており、特に、本発明方法で使用する木目込み機構７０においては、図７に示すように、木目込みバー７１の設定位置はドアトリム本体２０の木目込み溝２１Ａ，２１Ｂの溝センター（図中符号Ｐで示す）よりも０．５ｍｍ内側にずらした位置に設定されている。このことにより、木目込みバー７１により装飾シート３０の周縁端末３１を木目込み溝２１Ａ，２１Ｂ内に圧入処理する際、装飾シート３０の周縁端末３１は、木目込み溝２１Ａ，２１Ｂの内側壁面２４に装飾シート３０の周縁端末３１が擦り付けられ、装飾シート３０のシワをとりながら木目込みバー７１により端末処理されることになる。
【００３０】
更に、木目込みバー７１は、図６中Ａ矢視で示す木目込みバー７１のパターン形状を備えている。すなわち、図８に示すように、一般部木目込み溝２１Ａに対応する一般部位７１ａと、コーナー部木目込み溝２１Ｂに対応するコーナー部位７１ｂとを一体化した構造として、コーナー部木目込み溝２１ＢのＲ止まりを端末部位７１ｃとして、一枚物のプレートで仕上げられている。本実施例では、上下二枚の木目込みバー７１は、一般部位７１ａとコーナー部位７１ｂとを一体化してＲ止まりを端末部位７１ｃとした構成とし、左右の木目込みバー７１は、一般部位７１ａのみで構成するという四枚構成が採用されている。
【００３１】
このように、一般部位７１ａとこれに繋がるコーナー部位７１ｂとを一体化した場合、剛性が強化されているため、繰り返し使用しても変形する恐れがなく、かつ一枚物であるため、コーナー部分を分割構成した構造のものに比べ設定位置を微調整しても隙間が生じることがない。
【００３２】
次いで、この圧着装置４０を使用して、ドアトリム本体２０に装飾シート３０を圧着加工する加工方法について説明する。まず、圧着上型５０と圧着下型６０とが型開き状態にある時、図９に示すように、圧着上型５０の型面にドアトリム本体２０をセットするとともに、圧着下型６０の型面上に装飾シート３０をセットする。この時、装飾シート３０は、周縁端末３１を圧着下型６０の外周所定位置に設けられた位置決めガイド６３を目安にして適正位置にセットする。また、装飾シート３０のドアトリム本体２０対向側面には、接着剤ａが予め塗布されている。この接着剤ａの塗布は、ドアトリム本体２０側に行なっても良い。
【００３３】
そして、ドアトリム本体２０及び装飾シート３０の位置決めが完了すれば、図１０に示すように、図示しないシリンダが駆動して、圧着上下型５０，６０が型締めされ、ドアトリム本体２０の中接部表面に装飾シート３０が圧着加工される。そして、圧着加工が完了すれば、圧着下型６０の外周に設けられている木目込み機構７０が動作する。すなわち、シリンダ７２が駆動し、木目込みバー７１が上昇して装飾シート３０の周縁端末３１をドアトリム本体２０の木目込み溝２１Ａ，２１Ｂ内に圧入処理する。ここで、一般部木目込み溝２１Ａ内に装飾シート３０の周縁端末３１を圧入する際は、図１１に示すように、木目込みバー７１は一般部木目込み溝２１Ａの溝センターＰよりも内側にずらして設定されているため、一般部木目込み溝２１Ａの内側壁面２４に装飾シート３０の周縁端末３１を擦り付けてシワ発生を抑えながら圧入処理するため、一般部分におけるシワ発生は可及的に防止できる。
【００３４】
また、図１２に示すように、コーナー部についてもコーナー部木目込み溝２１Ｂの溝センターＰよりも木目込みバー７１は内側にずらして設定されているため、コーナー部木目込み溝２１Ｂの内側壁面２４に対して装飾シート３０の周縁端末３１を擦り付けてシワ発生を抑えながら圧入する。更に、一般部からコーナー部に集中してくるダブリやシワについては、このダブリやシワを解消するために装飾シート３０の周縁端末３１を引き伸ばし、この部位での溝深さｄ２を深く設定したため、この部位に引き伸ばした端末部分を十分収容することができ、コーナー部分におけるシワ発生も有効に防止することができる。
【００３５】
そして、一般部木目込み溝２１Ａ及びコーナー部木目込み溝２１Ｂ双方において、木目込みバー７１の圧入操作は、１回のポンピング動作でも可能であるが、２〜４回のポンピング動作で行なうのが好ましい。
【００３６】
このように、本発明方法による装飾シート３０の端末処理方法によれば、装飾シート３０の周縁端末３１の木目込み処理を体裁良く行なえ、シワが発生することがなく、装飾シート３０の周縁端末の外観見栄えを著しく向上させることができるという効果がある。
【産業上の利用可能性】
【００３７】
本発明の実施例は、ドアトリム本体２０の中接部分に島形状の装飾シート３０を装着し、この装飾シート３０の端末処理に適用したが、ドアトリム本体２０の木目込み溝２１内に装飾シート３０の周縁端末を圧入処理するタイプであり、木目込み溝２１が直線状の一般部と曲線状のコーナー部とを有するものであれば、用途及び木目込み溝２１の形状に限定されることはない。また、木目込みバー７１による装飾シート３０の圧入動作は、２〜４回のポンピング動作が好ましいが、１回のポンピング動作で完了しても良い。
【符号の説明】
【００３８】
１０  自動車用ドアトリム
２０  ドアトリム本体
２１  木目込み溝
２１Ａ  一般部木目込み溝
２１Ｂ  コーナー部木目込み溝
２４  内側壁面
３０  装飾シート
３１  周縁端末
４０  圧着装置
５０  圧着上型
５１  上側取付板
５２  ガイドポスト
６０  圧着下型
６１  下側取付板
６２  ガイドポスト
６３  位置決めガイド
７０  木目込み機構
７１  木目込みバー
７１ａ  一般部位
７１ｂ  コーナー部位
７１ｃ  端末部位
７２  シリンダ
Ｐ  溝センター
【図１】
2014094579.tif 000003
【図２】
2014094579.tif 000004
【図３】
2014094579.tif 000005
【図４】
2014094579.tif 000006
【図５】
2014094579.tif 000007
【図６】
2014094579.tif 000008
【図７】
2014094579.tif 000009
【図８】
2014094579.tif 000010
【図９】
2014094579.tif 000011
【図１０】
2014094579.tif 000012
【図１１】
2014094579.tif 000013
【図１２】
2014094579.tif 000014
【図１３】
2014094579.tif 000015
【図１４】
2014094579.tif 000016
【図１５】
2014094579.tif 000017
【図１６】
2014094579.tif 000018